(57)【要約】【課題】木造建築部材の接合部分の切り欠きをしないで、剛性を有する素材を用いて接合することで、頑丈な構造体を造ることが出来る。【解決手段】木造建築の柱、胴差、梁、桁などの互いに接合する一方の柱１０から突起する金具１に相手の横架材２０を締結手段で連結する木造建築の接合装置において、前記金具１は横架材２０の幅より狭く形成され柱１０の当接面に平行して接する支持板２と、該支持板２の上下部分に楕円型の貫通孔７を有し、支持板３より突出する下部の梁受板６と接合板４とからなり、前記支持板３には柱１０内に挿入する複数の突起部５を備え、前記横架材２０に金具１の支持板３が収まる凹部１２を設け，横架材２０に金具１の接合板４が嵌る係合溝２１を備え、横架材２０の上部には楔受部２２を設けたことを特徴としている。【選択図】　　　図１
2004084342.tif 000002
【特許請求の範囲】
【請求項１】
木造建築の柱、胴差、梁、桁などの互いに接合する一方の柱から突設する金具に相手の横架材を締結手段で連結する木造建築部材の接合装置において、　　　　　　　　　　　　　　　　　　　　　　　　　　　　　　　前記金具は、横架材の幅より狭く形成された柱の当接面に平行して接する支持板と、該支持板の上下部分に楕円型のボルト嵌合孔を有し、支持板より突出する梁受板と接合板とからなり、前記支持板には柱内に挿入する複数の突起部を備え、前記横架材に金具の支持板が収まる凹部を設け、横架材に金具の接合板が嵌る係合溝を備え、横架材の上面には楔受部を設けたことを特徴とする木造建築部材の接合装置。
【請求項２】
前記金具の支持板の上下部分に設けた前記楕円型のボルト嵌合孔に挿通するボルトが、互いに直交する支持板どうしを締結するボルトを十字状に交差することを特徴とする請求項１に記載の木造建築部材の接合装置。
【請求項３】
前記金具の接合板の先端に両側に嵌合溝を有する突起部を設け、接合板が前記横架材の係合溝に嵌り、該横架材に設けた楔受部内に楔受具を落とし込み、前記突起部を楔受具の突起部挿入孔に嵌合し、突起部の嵌合溝に嵌合板を嵌合して固定し、前記楔受部内に楔を打込み、前記柱と横架材の当接部分を圧接したことを特徴とする請求項１に記載の木造建築部材の接合装置。
【請求項４】
木造建築の土台、胴差、梁、桁などの長手方向の一方の継手部材と他方の被継手部材を互いに接合する金具を締結手段で連結する木造建築部材の接合装置において、
前記金具のプレートには複数のボルト貫通孔を有し、プレートとには梁受板を備え、プレートの一方の先端に突起部を設け、前記継手部材と被継手部材のそれぞれにプレートが嵌る係合溝を有し、前記被継手部材の上面に楔受部を設けたことを特徴とする木造建築部材の接合装置。
【請求項５】
前記継手部材と被継手部材のそれぞれに前記金具のプレートが嵌合する係合溝を有し、被継手部材の上面に楔受部を設け、該楔受部内に楔受具を落とし込み、前記突起部を楔受具の突起部挿入孔に嵌合し、突起部の嵌合溝に嵌合板を嵌合して固定し、前記楔受部に楔を打ち込み、前記継手部材と被継手部材の当接部分を密着したことを特徴とする請求項４に記載の木造建築部材の接合装置。
【発明の詳細な説明】
【０００１】
【発明の属する技術分野】
本発明は、木造建築において柱に横架材を接合する際、あるいは長手方向の部材と部材の継手を接合する際などに適応させる木造建築部材の接合装置に関する。
【０００２】
【従来の技術】
従来の接合装置としては、たとえば特開平１０−３３１２６０号公報に記載されたようなものがある。
すなわち、従来の接合装置は、金具を結合部材の幅より狭く形成され主幹部材の当接面に平行して接する支持板と、該支持板より突出する複数の接合板とからなり、前記支持板には主幹部材内に挿入する複数の突起部を備え、前記主幹部材または結合部材の何れか一方に金具の支持板が収まる凹部を設け、結合部材に金具の各接合板が嵌る係合溝を備え、前記主幹部材に前記金具をボルトによって固着し、これに結合部材を取り付ける場合には、結合部材を金具の上方から降ろして、金具の接合板を各係合溝に差込み、結合部材の横からボルトを結合部材を貫通して差し込むことにより、主幹部材に結合部材を接合することになっている。
【０００３】
【発明が解決しようとする課題】
しかしながら、上記した木造建築部材の接合装置の場合には、結合部材を支持するのに、結合部材の横からボルトを結合部材を貫通したボルトのみにて結合部材が支持されている、結合部材の上部に何かのはずみで、普通以上の荷重が掛かれば、ボルトのみにて支持されている結合部材は、ボルトの孔から横に裂けるおそせがある。それと、結合部材を金具の上方から降ろして、金具の接合板を各係合溝に差込み、結合部材の横からボルトを結合部材を貫通して差込、ボルトで締結するのみでは、主幹部材に当接する結合部材とに多少の隙間ができ、地震等の揺れに対して剛接とはいえない。
【０００４】
この発明は上記した従来技術の問題点を解決するためになされたもので、その目的とするところは、結合部材を支持するのに、支持板の下部に梁受板を設けて結合部材からの荷重を支え、主幹部材に当接する結合部材との隙間を楔受部に楔を打込むことで緊締され、剛構造となる機能を提供することにある。
【０００５】
【課題を解決するための手段】
上記目的を達成するために、この発明は、木造建築の柱、胴差、梁、桁などの互いに接合する一方の柱から突設する金具に相手の横架材を締結手段で連結する木造建築部材の接合装置において、前記金具は横架材の幅より狭く形成され柱の当接面に平行して接する支持板と、該支持板の上下部分に楕円型のボルト嵌合孔を有し、支持板より突出する梁受板と接合板とからなり、支持板には柱内に挿入する複数の突起部を備え、前記横架材に金具の支持板が収まる凹部を設け、横架材に金具の接合板が嵌る係合溝を備え、横架材の上部には楔受部を設けたことで接合部分の剛性が高まった。
【０００６】
前記金具の支持板の上下部分に設けた楕円型のボルト嵌合孔を挿通するボルトが、互いに直交する支持板どうしを締結するボルトを十字状に交差することで、一組の金具で各面に使用できるようになった。
【０００７】
前記金具の接合板の先端に両側に嵌合溝を有する突起部を設け、接合板が前記横架材の係合溝に嵌り、該横架材の上面に設けた楔受部内に楔受具を落とし込み、前記突起部を楔受具の突起部挿入孔に嵌合し、突起部の嵌合溝に嵌合板を嵌合して固定し、前記楔受部内に楔を打ち込み、前記柱と横架材の当接部分の隙間を密着できるようになった。
【０００８】
木造建築の胴差、梁、桁などの長手方向の継手部材を互いに接合する金具を締結手段で連結する木造建築部材の接合装置において、前記金具のプレートには複数のボルト貫通孔を有し、プレートには梁受板を備え、プレートの一方の先端に突起部を設け、前記継手部材と被継手部材のそれぞれにプレートが嵌る係合溝を有し、前記被継手部材の上面に楔受部を設けたことが好ましい。
【０００９】
前記継手部材と被継手部材のそれぞれに前記金具のプレートが嵌合する係合溝を有し、被継手部材の上面に楔受部を設け、該楔受部内に楔受具を落とし込み、前記突起部を楔受具の突起部挿入孔に嵌合し、突起部の嵌合溝に嵌合板を嵌合して固定し、前記楔受部に楔を打ち込み、前記継手部材と被継手部材の当接部分を圧接したことが好ましい。
【００１０】
【発明の実施の形態】以下に、図面を参照しながら本発明の木造建築部材の接合装置の実施の形態を説明する。図１はこの発明の木造建築部材の接合装置を分解して示す斜視図、
図２は支持板を締結するボルトが十字状に交差する状態を示す正面図、３（ａ，ｂ）は楔受部材の組み合わせの進行状態を示す斜視図、図４は長手方向の継手部材と被継手部材どうしをプレートを用いて接合する斜視図である。
【００１１】
上記金具には、断面Ｔ字型をなす例と、一枚の板体をなす例とあり、断面Ｔ字型をなす例のものは、柱の当接面に平行して接する支持板と、該支持板の中心から突出する一枚の接合板からなり、支持板には接合板が突出する反対側に向かって突出する複数の突起部を備えているもので、各突起部を柱内に埋め込んだ状態で、支持板の上下部分に設けた楕円型の貫通孔にボルトを挿通してボルト、ナットによる締結手段によって支持板を柱に固着するものである。また、
金具の接合板を横架材に設けた係合溝内に挿入し、楔受部に楔を打ち込んで柱と横架材の当接部分を密着した後、横架材の横面から接合板を貫通するボルト、ナットの締結手段で固着するものである。
【００１２】
また、前記一枚の板体からなる金具のプレートには、複数のボルト貫通孔を有し、プレートの下部には梁受板を備え、プレートの一方の先端には突起部を備えているものである、継手部材と被継部材のそれぞれには嵌合溝を有し、被継手部材の上面には楔受部を設けているものである。継手部材と被継手部材のそれぞれの嵌合溝にプレートの長さの１／２づつを嵌合し、各継手部材の横面からプレートを貫通するボルト、ナットの締結手段で固着し、被継手部材の上面に設けた楔受部に楔を打ち込んで各継手部材の木口の密着を行うものである。
【００１３】
上記実施形態を更に具体的に説明すると、図１に示しているように、金具１は、図１に示すように柱１０の当接面に平行して接する支持板３と、該支持板３から突出する接合板４と梁受板６とからなり、ステンレス、鉄板、鋼鈑などの剛性を有する素材からなり、亜鉛メッキなどを施すものである。支持板３には接合板４が突出する側とは反対側に向かって突出する複数の突起部５を備えているもので、各突起部５を柱１０内に埋め込んだ状態で、支持板３の上下部分に設けたボルト貫通孔７にボルト３１を貫通し、ボルト３１とナット３２による締結手段によって柱１０に固定する。なお、通常ここまでの作業は、工場等で行っておけば労務費の省力化ができ、現場での能率が上がることになる
【００１４】
柱１０の当接面に平行して接する支持板３の背部には、複数の突起部５を縦方向に間隔を空けて設けてあり、支持板３の正面下部には支持板３の面に直交して水平に梁受板６を設け、支持板３の正面の中心に支持板３の面に直交して接合板４を垂直に設け、接合板４の先端には突起部４ａを有し、接合板４には複数の貫通孔８を設け、一方、支持板３の上下部分には楕円型の貫通孔７を設け、支持板３に設けた複数の突起部５を柱１０内の嵌合孔１１に埋め込み、しかるのち、支持板３の上下部分に設けた貫通孔７から柱１０の貫通貫通孔９にボルト３１を貫通して、ボルト３１とナット３２の締結手段で固定するものである。
【００１５】
柱１０に横架材２０を三方向、四方向から接合する場合、同じ金具１を用いてそれぞれの支持板３を柱１０の各面に締結する際、互いに直交する支持板３の上下部分に設けた楕円型の貫通孔７を貫通するボルト３１と、他方の支持板３の貫通孔７を貫通するボルト３１とが十字状の交差することができる（図２参照）。
【００１６】
前記金具１の支持板３の上部に、横架材２０を上から降ろし、接合板４に横架材２０の係合溝２１を嵌合し、横架材２０の横面の貫通孔９より貫通したボルト３１を接合板４の貫通孔８を貫通しナットで締め付ける際、横架材２０の上部に設けた楔受部２２内に楔受具部２３を落し込み、楔受具２３の突起部挿入孔２３ａに突起部４ａを挿入し（図３（ａ）参照）、楔受具２３が所定の位置に収まった後、嵌合板２４を上から降ろし、嵌合部２４ａを嵌合溝４ｂに嵌めて安定した後、楔受部２２に上から楔２５を打ち込み（図３（ｂ）参照）、楔２５の傾斜面の圧力で横架材２０と柱１０の当接部分の密着を計り、その後に横架材２０の横面の貫通孔９より貫通したボルト３１を、ボルトとナットで締結し、構造体を剛性にするものである。
【００１７】
継手用金物２は、図４に示すように、ステンレス、鉄板、鋼鈑等の剛性を有する素材からなり亜鉛メッキを施し、プレート４０と下部プレート４１とからなり、プレート４０には複数のボルト係合孔４２を有し、支持部材５５からはね出した一方の継手部材５０の端部の係合溝４３に、プレート４０の長さの１／２を嵌め込み、継手部材の側面からプレート４０の貫通孔４２にボルト５３を貫通し、ボルト５３とナット５４で締結し、他方の被継ぎ手部材５１の係合溝４３にプレート４０の長さの１／２部分を嵌め込み、下部プレート４１に被継手部材５１を載せ、継手部材５０と被継手部材５１の両端部を密着した後、被継手部材５１の側面の貫通孔４４からプレート４０の貫通孔４２にボルト５３を貫通してボルト５３とナット５４で締結して継手部材５０と被継手部材５１を一体となし、構造体を剛性にするものである、なお楔受部４５は図１の楔受部２２と機能は同じものである。
【００１８】
【発明の効果】以上説明したように、請求項１の記載の発明によれば、木造建築の柱に横架材を接合するのに、接合部材どうしの欠き込み加工をしないで、剛性を有する素材の接合金具を使用したことにより、接合部分が頑丈になった。
【００１９】
請求項２に記載の発明によれば、支持板の上下部分に設けた楕円型の貫通孔の利用で、互いに直交する金具の上下部分に挿通するボルトが十字状に交差することで、三方向，四方向の接合でも、一組の接合金具で済ませることができる。
【００２０】
請求項３に記載の発明によれば、楔受部内に楔受具を収め、楔受具の背部に上から嵌合板を嵌め込んでる楔受具を固定し、しかる後に上部より楔を打ち込み、楔の傾斜の圧力で柱と横架材の当接部分を密着することで構造体を剛性にすることができる。
【００２１】
請求項４に記載の発明によれば、継手部材と被継手部材どうしの接合部分を、金具のプレートをもちいて締結手段で締結することで、地震等の揺れでもねばり強さを発揮できる。
【００２２】
請求項５に記載の発明によれば、継手部材と被継手部材の接合部分の当接する部分を密着するため、被継手部材の上面に設けた楔受部に楔を打ち込むことで請求項３と同じ機能を持つものである。
【図面の簡単な説明】
【図１】図１はこの発明の木造建築部材の接合装置を分解して示す斜視図である。
【図２】図２は支持板を締結するボルトが十字状に交差する状態を示す正面図である。
【図３】図３（ａ）（ｂ）は楔受部材の組み合わせの進行状態を示す拡大斜視図である。
【図４】図４は長手方向の継手部材と被継手部材どうしをプレートを用いて接合する斜視図である。
【符号の説明】
１　金具、２　継手用金具、３　支持板、４　接合板、４ａ　突起部、
４ｂ　嵌合溝、５　突起部、６　梁受板、７　貫通孔、８　貫通孔、９　貫通孔、
１０　柱、１１　嵌合孔、１２　凹部、２０　横架材、２１　係合溝、２２　楔受部、　　　２３　楔受具、２３ａ　突起部挿入孔、２４　嵌合板、２４ａ　嵌合部、２５　楔、　　　３０　締結手段、３１　ボルト、４０　プレート、４０ａ　突起部、４１　梁受板、　　　４２　貫通孔、４３　係合溝、４４　貫通孔、５０　継手部材、５１　被継手部材、　　　５２　締結手段、５３　ボルト
【図１】
2004084342.tif 000003
【図２】
2004084342.tif 000004
【図３】
2004084342.tif 000005
【図４】
2004084342.tif 000006